(57)【特許請求の範囲】
【請求項１】
ネットワーク側が、現在スケジュールされるＫ個のユーザ機器と、選定した符号化行列に対応する少なくともｌｏｇ２（Ｋ＋１）個の伝送リソース上のデータレイヤとのマッピング関係（ここで１つのユーザ機器が少なくとも１つのデータレイヤを占める。）を取得することと、
前記ネットワーク側が、前記現在スケジュールされるＫ個のユーザ機器と、選定した符号化行列に対応する少なくともｌｏｇ２（Ｋ＋１）個の伝送リソース上のデータレイヤとのマッピング関係に従って、前記Ｋ個のユーザ機器にデータを送信することと
を含むデータ送信方法であって、
現在スケジュールされるＫ個のユーザ機器と、選定した符号化行列に対応する少なくともｌｏｇ２（Ｋ＋１）個の伝送リソース上のデータレイヤとのマッピング関係を取得する前に、
現在スケジュールされるユーザ機器の数Ｋ及び多重化する伝送リソースの数Ｎ（Ｎ≧ｌｏｇ２（Ｋ＋１））を確定することと、
所定の２Ｎ−１個のデータレイヤによるＮ個の伝送リソースの多重化における符号化行列を選定することと
を更に含み、
現在スケジュールされるユーザ機器の数Ｋ及び多重化する伝送リソースの数Ｎ（Ｎ≧ｌｏｇ２（Ｋ＋１））を確定することと、所定の２Ｎ−１個のデータレイヤによるＮ個の伝送リソースの多重化における符号化行列を選定することは、具体的に、
予め設定した複数の符号化行列候補に対応する複数のｎ（１つの符号化行列候補に対応する伝送リソースの数）値に基づいて、条件Ｋ≦２ｎ−１を満たすｎ値の集合を選択することと、
前記ｎ値の集合に基づいて、前記Ｋ個のユーザ機器に使用可能な符号化行列候補集合を前記複数の符号化行列候補から選別することと、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とすることと
を含み、
ここで、前記符号化行列候補が２ｎ−１個のデータレイヤによるｎ個の伝送リソースの多重化における符号化行列であり、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とすることは、具体的に、
前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによるＮ個の伝送リソースの多重化における符号化行列とすることを含むことを特徴とする、データ送信方法。
【請求項２】
前記Ｋ個のユーザ機器と、前記符号化行列に対応する少なくともｌｏｇ２（Ｋ＋１）個の伝送リソース上の複数のデータレイヤとのマッピング関係は、具体的に、
各ユーザ機器の伝送要求パラメータに基づいて、各ユーザ機器がその伝送要求パラメータを満足する前記符号化行列の少なくとも１列にマッピングされ、ここで、符号化行列の１列が１つのデータレイヤに対応することを含むことを特徴とする請求項１に記載のデータ送信方法。
【請求項３】
前記伝送要求パラメータは、少なくとも、ユーザ機器の負荷と、信号雑音比、ブロック誤り率及び電力リソースのうちのいずれか１つ又は任意の組み合わせとを含むことを特徴とする請求項２に記載のデータ送信方法。
【請求項４】
任意のユーザ機器がその伝送要求パラメータを満足する少なくとも１列にマッピングされることは、具体的に、
前記任意のユーザ機器が、前記伝送要求パラメータを満足する１列にマッピングされるか、
前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、
ここで、前記ダイバーシティ次数は、符号化行列中の１列元素のうちゼロではない元素の数として定義され、データ送信による周波数ダイバーシティを表すことを特徴とする請求項２に記載のデータ送信方法。
【請求項５】
ユーザ機器が、現在スケジュールされるＫ個のユーザ機器と、選定した符号化行列に対応する少なくともｌｏｇ２（Ｋ＋１）個の伝送リソース上のデータレイヤとのマッピング関係（ここで１つのユーザ機器が少なくとも１つのデータレイヤを占める。）を取得することと、
前記ユーザ機器が、ネットワーク側から前記マッピング関係に従って送信されたデータを受信することと
を含むデータ受信方法であって、
現在スケジュールされるＫ個のユーザ機器と、選定した符号化行列に対応する少なくともｌｏｇ２（Ｋ＋１）個の伝送リソース上のデータレイヤとのマッピング関係を取得する前に、
現在スケジュールされるユーザ機器の数Ｋ及び多重化する伝送リソースの数Ｎ（Ｎ≧ｌｏｇ２（Ｋ＋１））を確定することと、
所定の２Ｎ−１個のデータレイヤによるＮ個の伝送リソースの多重化における符号化行列を選定することと
を更に含み、
現在スケジュールされるユーザ機器の数Ｋ及び多重化する伝送リソースの数Ｎ（Ｎ≧ｌｏｇ２（Ｋ＋１））を確定することと、所定の２Ｎ−１個のデータレイヤによるＮ個の伝送リソースの多重化における符号化行列を選定することは、具体的に、
予め設定した複数の符号化行列候補に対応する複数のｎ（１つの符号化行列候補に対応する伝送リソースの数）値に基づいて、条件Ｋ≦２ｎ−１を満たすｎ値の集合を選択することと、
前記ｎ値の集合に基づいて、前記Ｋ個のユーザ機器に使用可能な符号化行列候補集合を前記複数の符号化行列候補から選別することと、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とすることと
を含み、
ここで、前記符号化行列候補が２ｎ−１個のデータレイヤによるｎ個の伝送リソースの多重化における符号化行列であり、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とすることは、具体的に、
前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによるＮ個の伝送リソースの多重化における符号化行列とすることを含むことを特徴とする、データ受信方法。
【請求項６】
現在スケジュールされるＫ個のユーザ機器と、選定した符号化行列に対応する少なくともｌｏｇ２（Ｋ＋１）個の伝送リソース上のデータレイヤとのマッピング関係（ここで１つのユーザ機器が少なくとも１つのデータレイヤを占める）を取得するための処理ユニットと、
前記現在スケジュールされるＫ個のユーザ機器と、選定した符号化行列に対応する少なくともｌｏｇ２（Ｋ＋１）個の伝送リソース上のデータレイヤとのマッピング関係に従って、前記Ｋ個のユーザ機器にデータを送信するための送信ユニットと
を含むネットワーク側機器であって、
現在スケジュールされるＫ個のユーザ機器と、選定した符号化行列に対応する少なくともｌｏｇ２（Ｋ＋１）個の伝送リソース上のデータレイヤとのマッピング関係を取得する前に、現在スケジュールされるユーザ機器の数Ｋ及び多重化する伝送リソースの数Ｎ（Ｎ≧ｌｏｇ２（Ｋ＋１））を確定し、所定の２Ｎ−１個のデータレイヤによるＮ個の伝送リソースの多重化における符号化行列を選定するための選択ユニットを更に含み、
前記選択ユニットは、
現在スケジュールされるユーザ機器の数Ｋ及び多重化する伝送リソースの数Ｎ（Ｎ≧ｌｏｇ２（Ｋ＋１））を確定し、所定の２Ｎ−１個のデータレイヤによるＮ個の伝送リソースの多重化における符号化行列を選定するにあたり、具体的に、
予め設定した複数の符号化行列候補に対応する複数のｎ（１つの符号化行列候補に対応する伝送リソースの数）値に基づいて、条件Ｋ≦２ｎ−１を満たすｎ値の集合を選択し、
前記ｎ値の集合に基づいて、前記Ｋ個のユーザ機器に使用可能な符号化行列候補集合を前記複数の符号化行列候補から選別し、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とし、
ここで、前記符号化行列候補が２ｎ−１個のデータレイヤによるｎ個の伝送リソースの多重化における符号化行列であり、
前記選択ユニットは、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とするにあたり、具体的に、
前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによるＮ個の伝送リソースの多重化における符号化行列とすることを特徴とする、ネットワーク側機器。
【請求項７】
現在スケジュールされるＫ個のユーザ機器と、選定した符号化行列に対応する少なくともｌｏｇ２（Ｋ＋１）個の伝送リソース上のデータレイヤとのマッピング関係（ここで１つのユーザ機器が少なくとも１つのデータレイヤを占める）を取得するための処理ユニットと、
ネットワーク側から前記マッピング関係に従って送信されたデータを受信するための受信ユニットと
を含むユーザ機器であって、
現在スケジュールされるＫ個のユーザ機器と、選定した符号化行列に対応する少なくともｌｏｇ２（Ｋ＋１）個の伝送リソース上のデータレイヤとのマッピング関係を取得する前に、現在スケジュールされるユーザ機器の数Ｋ及び多重化する伝送リソースの数Ｎ（Ｎ≧ｌｏｇ２（Ｋ＋１））を確定し、所定の２Ｎ−１個のデータレイヤによるＮ個の伝送リソースの多重化における符号化行列を選定するための選択ユニットを更に含み、
前記選択ユニットは、
現在スケジュールされるユーザ機器の数Ｋ及び多重化する伝送リソースの数Ｎ（Ｎ≧ｌｏｇ２（Ｋ＋１））を確定し、所定の２Ｎ−１個のデータレイヤによるＮ個の伝送リソースの多重化における符号化行列を選定するにあたり、具体的に、
予め設定した複数の符号化行列候補に対応する複数のｎ（１つの符号化行列候補に対応する伝送リソースの数）値に基づいて、条件Ｋ≦２ｎ−１を満たすｎ値の集合を選択し、
前記ｎ値の集合に基づいて、前記Ｋ個のユーザ機器に使用可能な符号化行列候補集合を前記複数の符号化行列候補から選別し、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とし、
ここで、前記符号化行列候補が２ｎ−１個のデータレイヤによるｎ個の伝送リソースの多重化における符号化行列であり、
前記選択ユニットは、
前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とするにあたり、具体的に、
前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによるＮ個の伝送リソースの多重化における符号化行列とすることを特徴とする、ユーザ機器。
【請求項８】
前記処理ユニットが現在スケジュールされるＫ個のユーザ機器と、選定した符号化行列に対応する少なくともｌｏｇ２（Ｋ＋１）個の伝送リソース上のデータレイヤとのマッピング関係を取得するプロセスで、前記Ｋ個のユーザ機器と、前記符号化行列に対応する少なくともｌｏｇ２（Ｋ＋１）個の伝送リソース上のデータレイヤとのマッピング関係は、具体的に、
各ユーザ機器の伝送要求パラメータに基づいて、各ユーザ機器がその伝送要求パラメータを満足する前記符号化行列の少なくとも１列にマッピングされ、ここで、符号化行列の１列が１つのデータレイヤに対応することを含むことを特徴とする請求項７に記載のユーザ機器。
【請求項９】
前記処理ユニットが前記Ｋ個のユーザ機器と、第１符号化行列に対応する少なくともｌｏｇ２（Ｋ＋１）個の伝送リソース上のデータレイヤとのマッピング関係を確定するにあたり、
前記伝送要求パラメータは、少なくとも、ユーザ機器の負荷と、信号雑音比、ブロック誤り率及び電力リソースのうちのいずれか１つ又は任意の組み合わせとを含むことを特徴とする請求項８に記載のユーザ機器。
【発明の詳細な説明】
【技術分野】
【０００１】
本願は、２０１５年４月７日に中国特許庁に提出された中国特許出願２０１５１０１６２２９０．４の優先権を主張し、その全ての内容が援用により本願に取り込まれる。
【０００２】
本開示は、無線通信の技術分野に関し、特にデータ送信方法、受信方法及び装置に関する。
【背景技術】
【０００３】
関連技術のうちのＬＴＥ（Ｌｏｎｇ  Ｔｅｒｍ  Ｅｖｏｌｕｔｉｏｎ）システムに採用されるＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；直交周波数分割多元）接続方式は、直交送信の基本思想に基づいて設計されるものであり、送受信が容易に実現され、性能も保証される。しかし、モバイルインターネットサービスとモノのインターネットサービスの応用の迅速な発展に伴い、非直交多元技術は、システム容量の向上、遅延の低下、及びより多くの端末数へのサポートの面で大きな利点を有し、５Ｇ移動通信システムに採用される見込みがある。非直交多元技術は、同一の伝送リソースに異なるユーザの情報を重畳して伝送し、人的に干渉を導入したため、受信側においてそれを除去するには、より複雑な受信機アルゴリズムが必要になる。現在、典型的な非直交多元接続技術は、ＮＯＭＡ（Ｎｏｎ−Ｏｒｔｈｏｇｏｎａｌ  Ｍｕｌｔｉｐｌｅ  Ａｃｃｅｓｓ；非直交多元接続技術）、ＳＣＭＡ（Ｓｐａｒｓｅ  Ｃｏｄｅ  Ｍｕｌｔｉｐｌｅ  Ａｃｃｅｓｓ；散在符号多元接続）及びＰＤＭＡ（Ｐａｔｔｅｒｎ  Ｄｉｖｉｓｉｏｎ  Ｍｕｌｔｉｐｌｅ  Ａｃｃｅｓｓ；パターン分割多元接続）などがある。
【０００４】
ＮＯＭＡの場合、電力領域でのマルチユーザ信号の重畳が実現され、受信側においてシリアル型干渉除去受信機が採用されている。ＳＣＭＡは、新型の周波数領域非直交多元接続技術であり、異なるデータストリームが多次元コードブックの異なるコードワードにマッピングされ、各コードワードが１つの拡張伝送レイヤを代表し、全てのＳＣＭＡ伝送レイヤが同一の時間周波数リソースを共有する。受信側において、コードワードの疎性を利用し、ＭＰＡ（Ｍｅｓｓａｇｅ  Ｐａｓｓｉｎｇ  Ａｌｇｏｒｉｔｈｍ；メッセージパッシングアルゴリズム）反複で復号を行い、性能が最適な検出に近づく。ＰＤＭＡ技術は、パターン分割技術を利用し、送信側において、端末信号に対し電力領域、コード領域、スペース領域など複数の信号領域の非直交特徴パターンに基づいてユーザを区分し、受信側において、端末パターンの特徴構造に基づいて、確率伝播（Ｂｅｌｉｅｆ  Ｐｒｏｐａｇａｔｉｏｎ；ＢＰ）アルゴリズム受信機及びシリアル型干渉除去方式でマルチユーザ検出を実現し、多元接続チャネルの容量限界に近づく。
【０００５】
現在、ＰＤＭＡ技術は、符号化行列を基本的なマッピングパターンとしてマルチユーザの区分を行うことができる。通常、符号化行列において、行がマルチユーザ多重化に関与するデータマッピングの１つの周波数領域リソースに対応し、列がマルチユーザデータパターンマッピング方式を代表する。例えば、仮にＮ個の周波数領域の伝送リソースで符号重畳方式によりＭ個のユーザの多重化をする場合、Ｍ個のユーザ機器が符号化方式により区分できる原則に基づいて、Ｍの理論最大値は、Ｍ＝２Ｎ−１になる。この際に、マルチユーザ符号重畳による理論的マルチユーザ重畳符号化行列（ＨＰＤＭＡと記する）は、以下の形式で表される。
【０００６】
【数１】
0006797824.tif 000002
【０００７】
関連技術のうちのＰＤＭＡ技術において、実際システムの実現能力に対し、容量向上能力と計算複雑度の折衷を考慮し、合理的なＰＤＭＡ符号化行列構成手段を確定する。しかし、関連技術のうちのマルチユーザのデータと符号化行列のパターンマッピング方式が柔軟ではなく、最終的に確定した符号化行列において、通常１つのユーザのデータが符号化行列の１列にしかマッピングされず、システムにスケジュールされるユーザ数が比較的少ない場合、ユーザ機器の伝送負荷を向上させることができず、システムの達成可能な処理能力が限定される。
【発明の概要】
【発明が解決しようとする課題】
【０００８】
関連技術において、ユーザ機器と符号化行列の単一なマッピングにより、システムにスケジュールされるユーザ数が比較的少ない場合、ユーザ機器の伝送負荷を向上させることができず、システムの達成可能な処理能力が限定されるという問題が存在する。本開示の実施例は、それを解決するためのデータ送信方法、受信方法及び装置を提供する。
【課題を解決するための手段】
【０００９】
本開示の実施例は、以下の具体的な技術手段を提供する。
【００１０】
データ送信方法において、ネットワーク側が、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１である。）を含む現在のデータ伝送ルールを取得することと、前記ネットワーク側が前記ルールに従って、前記Ｋ個のユーザ機器にデータを送信することとを含む。
【００１１】
このように、現在スケジュールされるユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００１２】
また、データ送信方法において、現在のデータ伝送ルールを取得する前に、現在スケジュールされるユーザ機器の数Ｋ及び多重化する伝送リソースの数Ｎ（Ｋ≦２Ｎ−１）を確定することと、所定の２Ｎ−１個のデータレイヤによるＮ個の伝送リソースの多重化における符号化行列を選定することとを更に含む。
【００１３】
また、現在スケジュールされるユーザ機器の数Ｋ及び多重化する伝送リソースの数Ｎ（Ｋ≦２Ｎ−１）を確定することと、所定の２Ｎ−１個のデータレイヤによるＮ個の伝送リソースの多重化における符号化行列を選定することは、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択することと、前記ｎ値の集合に基づいて、前記Ｋ個のユーザ機器に使用可能な符号化行列候補集合を前記複数の符号化行列候補から選別することと、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることとを含み、ここで、前記符号化行列候補が２ｎ−１個のデータレイヤによるＮ個の伝送リソースの多重化における符号化行列である。
【００１４】
また、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることは、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とすることを含む。
【００１５】
また、前記Ｋ個のユーザ機器と、前記符号化行列に対応するＮ個の伝送リソース上の複数のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００１６】
また、前記伝送要求パラメータは、少なくとも、ユーザ機器の負荷と、信号雑音比、ブロック誤り率及び電力リソースのうちのいずれか１つ又は任意の組み合わせとを含む。
【００１７】
また、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００１８】
データ受信方法において、ネットワーク側が、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１である。）を含む現在のデータ伝送ルールを取得することと、前記ネットワーク側が、前記Ｋ個のユーザ機器から前記ルールに従って前記ネットワーク側に送信されるデータを受信することとを含む。
【００１９】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００２０】
また、データ受信方法において、現在のデータ伝送ルールを取得する前に、現在スケジュールされるユーザ機器の数Ｋ及び多重化する伝送リソースの数Ｎを確定することと、所定の２Ｎ−１個のデータレイヤによるＮ個の伝送リソースの多重化における符号化行列を選定することとを更に含む。
【００２１】
また、現在スケジュールされるユーザ機器の数Ｋ及び多重化する伝送リソースの数Ｎ（Ｋ≦２Ｎ−１）を確定することと、所定の２Ｎ−１個のデータレイヤによるＮ個の伝送リソースの多重化における符号化行列を選定することは、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択することと、前記ｎ値の集合に基づいて、前記Ｋ個のユーザ機器に使用可能な符号化行列候補集合を前記複数の符号化行列候補から選別することと、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることとを含み、ここで、前記符号化行列候補が２ｎ−１個のデータレイヤによるＮ個の伝送リソースの多重化における符号化行列である。
【００２２】
また、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることは、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とすることを含む。
【００２３】
また、前記Ｋ個のユーザ機器と、前記符号化行列に対応するＮ個の伝送リソース上の複数のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００２４】
また、前記伝送要求パラメータは、少なくとも、ユーザ機器の負荷と、信号雑音比、ブロック誤り率及び電力リソースのうちのいずれか１つ又は任意の組み合わせとを含む。
【００２５】
また、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００２６】
データ送信方法において、ユーザ機器が、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１）を含む現在のデータ伝送ルールを取得することと、前記ユーザ機器が、前記ルールに従い、前記符号化行列に占める少なくとも１つのデータレイヤに基づいてネットワーク側にデータを送信することとを含む。
【００２７】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００２８】
また、データ送信方法において、現在のデータ伝送ルールを取得する前に、ネットワーク側から指示された現在スケジュールされるユーザ機器の数Ｋ及び多重化する伝送リソースの数Ｎを確定することと、所定の２Ｎ−１個のデータレイヤによるＮ個の伝送リソースの多重化における符号化行列を選定することとを更に含む。
【００２９】
また、現在スケジュールされるユーザ機器の数Ｋ及び多重化する伝送リソースの数Ｎ（Ｋ≦２Ｎ−１）を確定することと、所定の２Ｎ−１個のデータレイヤによるＮ個の伝送リソースの多重化における符号化行列を選定することは、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択することと、前記ｎ値の集合に基づいて、前記Ｋ個のユーザ機器に使用可能な符号化行列候補集合を前記複数の符号化行列候補から選別することと、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることとを含み、ここで、前記符号化行列候補が２ｎ−１個のデータレイヤによるＮ個の伝送リソースの多重化における符号化行列である。
【００３０】
また、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることは、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とすることを含む。
【００３１】
また、前記Ｋ個のユーザ機器と、前記符号化行列に対応するＮ個の伝送リソース上の複数のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００３２】
また、前記伝送要求パラメータは、少なくとも、ユーザ機器の負荷と、信号雑音比、ブロック誤り率及び電力リソースのうちのいずれか１つ又は任意の組み合わせとを含む。
【００３３】
また、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００３４】
データ受信方法において、ユーザ機器が、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１である。）を含む現在のデータ伝送ルールを取得することと、前記ユーザ機器が、前記ユーザ機器から前記ルールに従って送信したデータを受信したネットワーク側から送信されるフィードバックデータを受信することとを含む。
【００３５】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００３６】
また、データ受信方法において、現在のデータ伝送ルールを取得する前に、ネットワーク側から指示された現在スケジュールされるユーザ機器の数Ｋ及び多重化する伝送リソースの数Ｎを確定することと、所定の２Ｎ−１個のデータレイヤによるＮ個の伝送リソースの多重化における符号化行列を選定することとを更に含む。
【００３７】
また、現在スケジュールされるユーザ機器の数Ｋ及び多重化する伝送リソースの数Ｎ（Ｋ≦２Ｎ−１）を確定することと、所定の２Ｎ−１個のデータレイヤによるＮ個の伝送リソースの多重化における符号化行列を選定することは、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択することと、前記ｎ値の集合に基づいて、前記Ｋ個のユーザ機器に使用可能な符号化行列候補集合を前記複数の符号化行列候補から選別することと、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とすることとを含み、ここで、前記符号化行列候補が２ｎ−１個のデータレイヤによるＮ個の伝送リソースの多重化における符号化行列である。
【００３８】
また、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによるＮ個の伝送リソースの多重化における符号化行列とすることは、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とすることを含む。
【００３９】
また、前記Ｋ個のユーザ機器と、前記符号化行列に対応するＮ個の伝送リソース上の複数のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００４０】
また、前記伝送要求パラメータは、少なくとも、ユーザ機器の負荷と、信号雑音比、ブロック誤り率及び電力リソースのうちのいずれか１つ又は任意の組み合わせとを含む。
【００４１】
また、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００４２】
ネットワーク側機器であって、現在スケジュールされるＫ個のユーザ機器と、選定した符号化行列に対応するＮ個の伝送リソース上のデータレイヤとのマッピング関係（ここで１つのユーザ機器が少なくとも１つのデータレイヤを占め、Ｋ≦２Ｎ−１である。）を含む現在のデータ伝送ルールを取得するための処理ユニットと、ルールに従ってＫ個のユーザ機器にデータを送信するための送信ユニットとを含む。
【００４３】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００４４】
また、ネットワーク側機器は、現在のデータ伝送ルールを取得する前に、現在スケジュールされるユーザ機器の数Ｋ及び多重化する伝送リソースの数Ｎ（Ｋ≦２Ｎ−１）を確定し、所定の２Ｎ−１個のデータレイヤによるＮ個の伝送リソースの多重化における符号化行列を選定するための選択ユニットを更に含む。
【００４５】
また、前記選択ユニットは、現在スケジュールされるユーザ機器の数Ｋ及び多重化する伝送リソースの数Ｎ（Ｋ≦２Ｎ−１）を確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、前記ｎ値の集合に基づいて、前記Ｋ個のユーザ機器に使用可能な符号化行列候補集合を前記複数の符号化行列候補から選別し、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とし、ここで、前記符号化行列候補が２ｎ−１個のデータレイヤによるＮ個の伝送リソースの多重化における符号化行列である。
【００４６】
また、前記選択ユニットは、前記ｎ値の集合から、前記Ｋ個のユーザ機器に現在多重化可能な伝送リソースの数Ｎを選択し、前記符号化行列候補集合から、Ｎ値に対応する符号化行列候補を選択して、前記２Ｎ−１個のデータレイヤによる前記Ｎ個の伝送リソースの多重化における符号化行列とするにあたり、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とする。
【００４７】
また、前記処理ユニットが現在のデータ伝送ルールを取得するプロセスで、前記Ｋ個のユーザ機器と、前記符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００４８】
また、前記処理ユニットが前記Ｋ個のユーザ機器と、前記第１符号化行列に対応するＮ個の伝送リソース上のデータレイヤとのマッピング関係を確定するにあたり、前記伝送要求パラメータは、少なくとも、ユーザ機器の負荷と、信号雑音比、ブロック誤り率及び電力リソースのうちのいずれか１つ又は任意の組み合わせとを含む。
【００４９】
また、前記処理ユニットが現在のデータ伝送ルールを取得するプロセスで、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００５０】
ネットワーク側機器であって、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１である。）を含む現在のデータ伝送ルールを取得するための処理ユニットと、前記Ｋ個のユーザ機器から前記ルールに従って前記ネットワーク側に送信されるデータを受信するための受信ユニットとを含む。
【００５１】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００５２】
また、ネットワーク側機器は、現在のデータ伝送ルールを取得する前に、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定するための選択ユニットを更に含む。
【００５３】
また、前記選択ユニットは、現在スケジュールされるユーザ機器の数Ｋ及び多重化する伝送リソースの数Ｎ（Ｋ≦２Ｎ−１）を確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、前記ｎ値の集合に基づいて、前記Ｋ個のユーザ機器に使用可能な符号化行列候補集合を前記複数の符号化行列候補から選別し、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とし、ここで、前記符号化行列候補が２ｎ−１個のデータレイヤによるＮ個の伝送リソースの多重化における符号化行列である。
【００５４】
また、前記選択ユニットは、前記ｎ値の集合から、前記Ｋ個のユーザ機器に現在多重化可能な伝送リソースの数Ｎを選択し、前記符号化行列候補集合から、Ｎ値に対応する符号化行列候補を選択して、前記２Ｎ−１個のデータレイヤによる前記Ｎ個の伝送リソースの多重化における符号化行列とするにあたり、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とする。
【００５５】
また、前記処理ユニットが現在のデータ伝送ルールを取得するプロセスで、前記Ｋ個のユーザ機器と、前記符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００５６】
また、前記伝送要求パラメータは、少なくとも、ユーザ機器の負荷と、信号雑音比、ブロック誤り率及び電力リソースのうちのいずれか１つ又は任意の組み合わせとを含む。
【００５７】
また、前記処理ユニットが現在のデータ伝送ルールを取得するプロセスで、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００５８】
ユーザ機器であって、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１である。）を含む現在のデータ伝送ルールを取得するための処理ユニットと、前記ルールに従って、前記符号化行列に占める少なくとも１つのデータレイヤに基づいてネットワーク側にデータを送信するための送信ユニットとを含む。
【００５９】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００６０】
また、ユーザ機器は、現在のデータ伝送ルールを取得する前に、ネットワーク側から指示された現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定するための選択ユニットを更に含む。
【００６１】
また、前記選択ユニットは、現在スケジュールされるユーザ機器の数Ｋ及び多重化する伝送リソースの数Ｎ（Ｋ≦２Ｎ−１）を確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、前記ｎ値の集合に基づいて、前記Ｋ個のユーザ機器に使用可能な符号化行列候補集合を前記複数の符号化行列候補から選別し、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とし、ここで、前記符号化行列候補が２ｎ−１個のデータレイヤによるＮ個の伝送リソースの多重化における符号化行列である。
【００６２】
また、前記選択ユニットは、前記ｎ値の集合から、前記Ｋ個のユーザ機器に現在多重化可能な伝送リソースの数Ｎを選択し、前記符号化行列候補集合から、Ｎ値に対応する符号化行列候補を選択して、前記２Ｎ−１個のデータレイヤによる前記Ｎ個の伝送リソースの多重化における符号化行列とするにあたり、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とする。
【００６３】
また、前記処理ユニットが現在のデータ伝送ルールを取得するプロセスで、前記Ｋ個のユーザ機器と、前記符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００６４】
また、前記処理ユニットが前記Ｋ個のユーザ機器と、前記第１符号化行列に対応するＮ個の伝送リソース上のデータレイヤとのマッピング関係を確定するにあたり、前記伝送要求パラメータは、少なくとも、ユーザ機器の負荷と、信号雑音比、ブロック誤り率及び電力リソースのうちのいずれか１つ又は任意の組み合わせとを含む。
【００６５】
また、前記処理ユニットが現在のデータ伝送ルールを取得するプロセスで、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【００６６】
ユーザ機器であって、現在スケジュールされるＫ個のユーザ機器と、選定した符号化行列に対応するＮ個の伝送リソース上のデータレイヤとのマッピング関係（ここで、１つのユーザ機器が少なくとも１つのデータレイヤを占め、Ｋ≦２Ｎ−１である。）を含む現在のデータ伝送ルールを取得するための処理ユニットと、ユーザ機器からルールに従って送信したデータを受信したネットワーク側から送信されるフィードバックデータを受信するための受信ユニットとを含む。
【００６７】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【００６８】
また、ユーザ機器は、現在のデータ伝送ルールを取得する前に、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定するための選択ユニットを更に含む。
【００６９】
また、前記選択ユニットは、現在スケジュールされるユーザ機器の数Ｋ及び多重化する伝送リソースの数Ｎ（Ｋ≦２Ｎ−１）を確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、前記ｎ値の集合に基づいて、前記Ｋ個のユーザ機器に使用可能な符号化行列候補集合を前記複数の符号化行列候補から選別し、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とし、ここで、前記符号化行列候補が２ｎ−１個のデータレイヤによるＮ個の伝送リソースの多重化における符号化行列である。
【００７０】
また、前記選択ユニットは、前記ｎ値の集合から、前記Ｋ個のユーザ機器に現在多重化可能な伝送リソースの数Ｎを選択すると共に、前記符号化行列候補集合から、Ｎ値に対応する符号化行列候補を選択して、前記２Ｎ−１個のデータレイヤによる前記Ｎ個の伝送リソースの多重化における符号化行列とするにあたり、具体的に、前記ｎ値の集合から、システムの使用可能な周波数領域リソース数を超えず且つ対応する所定のデータレイヤ数２ｎ−１が前記Ｋ個のユーザ機器の負荷要求を満足する任意の値を選択して、前記Ｋ個のユーザ機器に現在多重化可能な伝送リソースの数Ｎとすると共に、前記符号化行列候補集合から、Ｎ値に対応する符号化行列候補を選択して、前記２Ｎ−１個のデータレイヤによる前記Ｎ個の伝送リソースの多重化における符号化行列とする。
【００７１】
また、前記処理ユニットが現在のデータ伝送ルールを取得するプロセスで、前記Ｋ個のユーザ機器と、前記符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する前記符号化行列の少なくとも１列にマッピングされる（ここで、符号化行列の１列が１つのデータレイヤに対応する。）ことを含む。
【００７２】
また、前記処理ユニットが前記Ｋ個のユーザ機器と、前記第１符号化行列に対応するＮ個の伝送リソース上のデータレイヤとのマッピング関係を確定するにあたり、前記伝送要求パラメータは、少なくとも、ユーザ機器の負荷と、信号雑音比、ブロック誤り率及び電力リソースのうちのいずれか１つ又は任意の組み合わせとを含む。
【００７３】
また、前記処理ユニットが現在のデータ伝送ルールを取得するプロセスで、任意のユーザ機器がその伝送要求パラメータを満足する少なくとも１列にマッピングされることは、具体的に、前記任意のユーザ機器が、前記伝送要求パラメータを満足する１列にマッピングされるか、前記任意のユーザ機器が、前記伝送要求パラメータを満足する同一ダイバーシティ次数の少なくとも２列、又は、前記伝送要求パラメータを満足する異なるダイバーシティ次数の少なくとも２列にマッピングされることを含み、ここで、前記ダイバーシティ次数は、符号化行列中の１列元素のうちゼロではない元素の数として定義され、データ送信による周波数ダイバーシティを表す。
【図面の簡単な説明】
【００７４】
【図１ａ】本開示の実施例におけるデータ送信方法のフローチャートである。
【図１ｂ】本開示の実施例におけるデータ受信方法のフローチャートである。
【図１ｃ】本開示の実施例におけるデータ送信方法のフローチャートである。
【図１ｄ】本開示の実施例におけるデータ受信方法のフローチャートである。
【図２ａ】本開示の実施例における２つのユーザが２つの伝送リソースに対応するマッピング方式である。
【図２ｂ】本開示の実施例における２つのユーザが２つの伝送リソースに対応するマッピング方式である。
【図２ｃ】本開示の実施例における２つのユーザが２つの伝送リソースに対応するマッピング方式である。
【図３】本開示の実施例における２つのユーザが３つの伝送リソースに対応するマッピング方式である。
【図４】本開示の実施例における２つのユーザが４つの伝送リソースに対応するマッピング方式である。
【図５】本開示の実施例において多重化ユーザ数が３である場合の異なるパターンマッピング方式である。
【図６】本開示の実施例において多重化ユーザ数が３である場合の異なるパターンマッピング方式である。
【図７ａ】本開示の実施例におけるネットワーク側機器の構造図である。
【図７ｂ】本開示の実施例におけるネットワーク側機器の構造図である。
【図７ｃ】本開示の実施例におけるユーザ機器の構造図である。
【図７ｄ】本開示の実施例におけるユーザ機器の構造図である。
【図８ａ】本開示の実施例におけるネットワーク側機器の構造図である。
【図８ｂ】本開示の実施例におけるネットワーク側機器の構造図である。
【図８ｃ】本開示の実施例におけるユーザ機器の構造図である。
【図８ｄ】本開示の実施例におけるユーザ機器の構造図である。
【発明を実施するための形態】
【００７５】
本開示の実施例は、パターン分割非直交多元接続技術に基づくものである。当該技術は、パターン分割多元技術又はＰＤＭＡ技術と略称され、マルチユーザ通信システムの全体最適化に基づき、送信側と受信側によるジョイント処理技術である。送信側において、複数の信号領域の非直交特徴パターンに基づいてユーザを区分するが、受信側において、ユーザパターンの特徴構造に基づいて、ＢＰアルゴリズム受信機及びシリアル型干渉除去方式によりマルチユーザ検出を実現して、マルチユーザの既存の時間周波数無線リソースでの更なる多重化を実現する。
【００７６】
本開示の実施例は、データ送信方法、受信方法及び装置を開示する。与えられたユーザ機器の数に対し、異なる次元の符号化行列を柔軟に選択することができる。選択する符号化行列が確定された後に、複数のユーザ機器と、当該符号化行列に対応する複数の伝送リソース（本開示の実施例に係る伝送リソースが周波数領域伝送リソースである。）上の複数のデータレイヤとのマッピング関係を構築する。ここで、１つのユーザ機器は、その伝送要求を満足する当該符号化行列の１つ又は複数のデータレイヤへのマッピングが可能であり、即ち、１つのユーザ機器は、当該符号化行列の任意の１列又は任意の複数列を占めることができる。このように、システムにおいて、１つの周波数領域リソースで多重化するユーザ数が比較的少ない場合、符号化行列の複数のデータレイヤが同一のユーザ機器に使用されることによって、当該ユーザ機器の伝送負荷が向上し、システムの全体的伝送負荷が向上し、システム全体の処理能力が向上する。また、一定のスペクトル効率が保証されると同時に変調符号化レベルが低下し、受信機のアルゴリズムの複雑度が低下する。
【００７７】
本開示の実施例に係るネットワーク側機器は、基地局がある。
【００７８】
本開示の実施例に係るユーザ機器は、例えば移動電話などの無線端末がある。
【００７９】
以下、明細書の図面を参照しながら本開示の実施例を更に詳細に記載する。
【００８０】
本開示の実施例に係るデータ送信、受信方法は、下りリンクに応用されてもよく、上りリンクに応用されてもよい。ネットワーク側において、本開示によるデータ伝送方法を下りデータ伝送のみに応用してもよく、上りデータ伝送のみに応用してもよい。又は、ユーザ機器において、本開示によるデータ伝送方法を下りデータ伝送のみに応用してもよく、上りデータ伝送のみに応用してもよい。更に、同一時期で、ネットワーク側とユーザ端末は、本開示によるデータ伝送方法を用いて上り下りのやり取りを行ってもよい。
【００８１】
図１ａに示す本開示の実施例のデータ送信方法は、具体的に以下である。
【００８２】
予備処理段階において、ネットワーク側において、まず現在スケジュールされるユーザ機器の数Ｋ及び多重化する伝送リソースの数Ｎを確定し、所定の２Ｎ−１個のデータレイヤによるＮ個の伝送リソースの多重化に形成される符号化行列（第１符号化行列を記する）を確定し、ここで、Ｋ≦２Ｎ−１である。
【００８３】
実際の応用において、ネットワーク側機器は、現在スケジュールされ、伝送リソースの多重化に関与するユーザ機器の具体的な数（Ｋとする）を確定し、当該Ｋ個のユーザ機器に対し、使用可能な符号化行列候補を選択する。理論上、当該Ｋ個のユーザ機器に使用可能な符号化行列は、複数あり、その具体的な選択方式は、以下で記載する。
【００８４】
Ｓ１）ネットワーク側において、予め設定した複数の符号化行列候補に対応する複数のｎ（１つの符号化行列候補に対応する伝送リソースの数）値に基づいて、条件Ｋ≦２ｎ−１を満たすｎ値の集合を選択する。ここで、符号化行列候補は、マルチユーザ機器の符号化方式の区分可能原則に基づき複数の伝送リソースを多重化するユーザ機器の数が理論最大値（２ｎ−１）を取るときの符号化行列を示し、即ち、２ｎ−１個のデータレイヤによるＮ個の伝送リソースの多重化における符号化行列である。
【００８５】
【数２】
0006797824.tif 000003
でＮ×Ｍ次元の符号化行列を示す。
【００８６】
Ｎは、
【数３】
0006797824.tif 000004
の行数を代表し、１行が１つの伝送リソースに対応する。
【００８７】
即ち、Ｎは、
【数４】
0006797824.tif 000005
の伝送リソースの数を代表する。
【００８８】
Ｍは、
【数５】
0006797824.tif 000006
の伝送リソースの列数を代表し、１列が１つのデータレイヤを代表する。
【００８９】
即ち、Ｍは、
【数６】
0006797824.tif 000007
のデータレイヤ総数を代表する。
【００９０】
例えば、送信側において、
【数７】
0006797824.tif 000008
の３つの符号化行列候補を予め設定すると、当該３つの符号化行列に対応するｎ値は、２、３、４である。Ｋ＝２の場合、条件Ｋ≦２ｎ−１を満たすｎ値の集合は、｛２，３，４｝である。Ｋ＝３の場合、条件Ｋ≦２ｎ−１を満たすｎ値の集合は、｛２，３，４｝である。Ｋ＝４の場合、条件Ｋ≦２ｎ−１を満たすｎ値の集合は、｛３，４｝である。
【００９１】
もちろん、それ以外の任意の複数の符号化行列候補を設定してもよい。
【００９２】
Ｓ２）ｎ値の集合に基づいて、Ｋ個のユーザ機器に使用可能な符号化行列候補集合を複数の符号化行列候補から選別する。
【００９３】
ｎ値の集合から、Ｋ個のユーザ機器に割り当てた現在多重化可能な伝送リソースの数Ｎを選択すると共に、符号化行列候補集合から、Ｎ値に対応する符号化行列候補を選択して第１符号化行列とする。
【００９４】
具体的に、ｎ値の集合から任意の値を選択して、Ｋ個のユーザ機器に現在多重化可能な伝送リソースの数Ｎとすると共に、符号化行列候補集合から、Ｎ値に対応する符号化行列候補を選択して、第１符号化行列とする。ここで、任意の値は、システムの使用可能な周波数領域リソース数を超えず且つ対応する所定のデータレイヤ数２ｎ−１がＫ個のユーザ機器の負荷要求を満足する。
【００９５】
式（１）を参照すると、符号化行列の行数Ｎ値は、マルチユーザで多重化する伝送リソースの数を代表し、Ｍは、理論最大値の２Ｎ−１を取る。Ｎ個の伝送リソースの多重化ができるユーザ機器の数Ｋは、理論最大値を超えてはならない。現在スケジュールでは、Ｋ個のユーザ機器に割り当てることができる多重化リソース数は、複数の選択があり、条件Ｋ≦２Ｎ−１を満たす伝送リソースの数に対応する符号化行列であれば、Ｋ個のユーザのパターンマッピングを実現することができる。条件を満たす全ての伝送リソースの数から任意の数Ｎを選択して、Ｋ個のユーザ機器で多重化する伝送リソースの数とする。
【００９６】
ステップ１１０ａにおいて、ネットワーク側は、現在のデータ伝送ルールを取得する。ルールには、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【００９７】
ここで、予備処理段階において、現在スケジュールされるＫ個のユーザ機器が現在多重化可能な伝送リソースの数Ｎ、及び、所定の２Ｎ−１個のデータレイヤによる前記Ｎ個の伝送リソースの多重化に形成される第１符号化行列は、既に決められている。
【００９８】
現在多重化するユーザ機器の数Ｋが条件Ｋ≦２Ｎ−１を満たすため、第１符号化行列から各ユーザ機器に対し少なくとも１列を選択してマッピング関係を構築し、各ユーザ機器に対応する列及び占める列数に基づいて、Ｋ個のユーザ機器が占める列総数を確定する。当該列総数は、第１符号化行列の全ての列、即ち２Ｎ−１列である可能性もあるし、第１符号化行列の全ての列のうちの一部の列である可能性もある。選択した各ユーザ機器に対応する列及びＫ個のユーザ機器が占める列総数に基づいて、Ｋ個のユーザ機器によるＮ個の伝送リソースの多重化に形成される符号化行列（第２符号化行列と記する）を確定する。当該第２符号化行列は、第１符号化行列のサブ行列といってもよい。第２符号化行列は、現在のデータ伝送ルールに従って選択される。本開示の実施例は、ルール構築主体をいっさい限定しない。当該ルールは、ネットワーク側とユーザ機器との協商により構築されてもよく、プロトコルに基づいて決められてもよい。ここで、当該ルールの構築方式は、具体的に以下である。
【００９９】
まず、第１符号化行列において、各ユーザ機器の伝送要求パラメータに基づいて、各ユーザ機器に対し、伝送要求パラメータを満足する少なくとも１列を選択してマッピング関係を構築する。
【０１００】
ここで、符号化行列の１列は、１つのデータレイヤに対応し、ダイバーシティ次数（即ち列重み）は、符号化行列中の１列元素のうちゼロではない元素の数として定義され、データ送信による周波数ダイバーシティを表す。伝送要求パラメータは、少なくとも、ユーザ機器の負荷と、信号雑音比、ブロック誤り率及び電力リソースのうちのいずれか１つ又は任意の組み合わせとを含む。
【０１０１】
上述のマッピング関係構築プロセスで、各ユーザ機器が占める列数は、その負荷要求を満足しなければならない。例えば、負荷の比較的小さいユーザ機器が占める列数は、比較的少なく、負荷の比較的大きいユーザ機器が占める列数は、比較的多い。
【０１０２】
また、各ユーザ機器に対し少なくとも１列を選択してマッピング関係を構築するプロセスで、任意の１つのユーザ機器に対し、伝送要求パラメータを満足する１列を選択してマッピング関係を構築するか、任意の１つのユーザ機器に対し、伝送要求パラメータを満足する同一ダイバーシティ次数の少なくとも２列、又は、伝送要求パラメータを満足する異なるダイバーシティ次数の少なくとも２列を選択してマッピング関係を構築する。
【０１０３】
即ち、１つのユーザ機器が複数列にマッピングされる場合、当該ユーザ機器の伝送要求パラメータを満足する前提では、選択した複数列のデータレイヤは、同一のダイバーシティ次数を有してもよく、異なるダイバーシティ次数を有してもよい。
【０１０４】
続いて、各ユーザに対応する列及び占める列数に基づいて、Ｋ個のユーザ機器が占める列総数Ｌを確定し、Ｋ個のユーザ機器によるＮ個の伝送リソースの多重化に形成される第２符号化行列を確定し、ここで、Ｋ≦Ｌ≦２Ｎ−１である。
【０１０５】
上述のいずれか１つのＫ個のユーザ機器によるＮ個の伝送リソースの多重化における第２符号化行列の確定プロセスで、Ｋ個のユーザ機器は、Ｌ個のデータレイヤにマッピングされ、即ち、Ｋ個のユーザ機器が当該第１符号化行列のＬ列を占める。Ｌ＝Ｋの場合、Ｋ個のユーザ機器のうちの各ユーザ機器は、それぞれ１つのデータレイヤを占める。Ｌ＞Ｋの場合、Ｋ個のユーザ機器のうちのあるユーザ機器は、複数のデータレイヤを占める可能性がある。即ち、本開示に係るマルチユーザデータから符号化行列へのマッピング方法によれば、１つのユーザ機器が符号化行列の複数列にマッピングされ、当該ユーザ機器のデータ伝送における符号化ブロックのサイズが大きくなり、システム全体の処理能力が向上する。
【０１０６】
本開示の実施例において、Ｋ個のユーザ機器と第１符号化行列に対応するＮ個の伝送リソース上の複数のデータレイヤとのマッピング関係は、１つのユーザ機器から１つ又は複数のデータレイヤへのマッピングが可能となり、関連技術のうちのＰＤＭＡ技術において１つのユーザ機器から１つのデータレイヤへのマッピングしかできないことに比較し、システムの全体性能が向上する。
【０１０７】
以下で記載しやすくするために、ここで負荷の定義を記載する。システム負荷は、単位伝送リソース（即ち１つの伝送リソース）上の全てのユーザが占めるデータレイヤ総数と定義されることができる。例えば、伝統的な直交伝送の場合、異なるユーザ機器が異なる伝送リソースを占め、単位伝送リソース上の全てのユーザが占めるデータレイヤ総数が１であり、即ちシステム負荷が１である。また、例えば、伝統的なＰＤＭＡ技術において、Ｎ個の伝送リソースを多重化するユーザ機器の数がＭである場合、Ｍ個のユーザ機器の各ユーザ機器が１つのデータレイヤを占め、システム負荷がＭ／Ｎになる。２つの伝送リソースを多重化するユーザ機器の数が３である場合、単位伝送リソース上の全てのユーザが占めるデータレイヤ総数が３／２になり、即ちシステム負荷が３／２である。１つのユーザ機器の伝送負荷は、単位伝送リソース（即ち１つの伝送リソース）上の１つのユーザ機器が占めるデータレイヤ数として定義される。例えば、１つのユーザ機器がＮ個の伝送リソースでＬＫ列を占めると、当該ユーザ機器の負荷は、ＬＫ／Ｎである。
【０１０８】
予備処理段階で記載したように、理論上Ｎ個のリソースの最大データレイヤ数２Ｎ−１の多重化に形成される第１符号化行列に基づいて、その中から任意のＬ列を選択して第１符号化行列のサブ行列を形成する。条件Ｋ≦Ｌ≦２Ｎ−１を満たすサブ行列が複数ある可能性があり、複数のサブ行列から任意の１つを選択して、Ｋ個のユーザ機器によるＮ個の伝送リソースの多重化に形成される第２符号化行列とする。
【０１０９】
Ｌ＝Ｋの場合、関連技術のうちのＰＤＭＡ技術のマルチユーザパターンマッピング方法であり、即ち１つのユーザ機器が１つのデータレイヤへマッピングされ、システム負荷がＬ／Ｎ＝Ｋ／Ｎである。
【０１１０】
Ｌ＞Ｋの場合、１つのユーザ機器から複数のデータレイヤへのマッピングが可能であり、システム負荷がＬ／Ｎであり、且つＬ／Ｎ＞Ｋ／Ｎである。
【０１１１】
明らかに、１つのユーザ機器から複数のデータレイヤへのマッピングが可能である場合、当該ユーザ機器の伝送負荷が向上し、現在システムにおいて１つの周波数領域リソースで多重化するユーザ数が比較的少ない場合、システム全体の処理能力が向上する。
【０１１２】
具体的に、現在スケジュールされるＫ個のユーザが多重化する同一時間周波数リソースのサイズを
【数８】
0006797824.tif 000009
とし、ここで、
【数９】
0006797824.tif 000010
は、時間周波数リソースのサブ搬送波数であり、
【数１０】
0006797824.tif 000011
は、ＯＦＤＭシンボル数である。
【０１１３】
当該時間周波数リソースをＮ個の伝送リソースに等分すると、各伝送リソースのＲＥ数（即ち許容可能な符号化変調シンボルの符号化ブロックサイズである。）は、
【数１１】
0006797824.tif 000012
である。
【０１１４】
現在Ｋ個のユーザ機器が第２符号化行列に対応するＮ個の伝送リソース上のＬ個のデータレイヤにマッピングされると、Ｌ＞Ｋの場合、
【数１２】
0006797824.tif 000013
の時間周波数リソースで、複数のデータレイヤ（データレイヤ数をＬＫとする。）にマッピングされるユーザ機器が伝送する符号化ブロックのサイズが大きくなり、
【数１３】
0006797824.tif 000014
になる。
【０１１５】
当該ユーザ機器の負荷が大きくなり、即ち達成可能な処理能力が大きくなる。しかも、一定のスペクトル効率が保証されると同時に変調符号化レベルの低下が実現され、受信機のアルゴリズムの複雑度が低下する。
【０１１６】
ステップ１２０ａにおいて、ネットワーク側は、当該ルールに従って、Ｋ個のユーザ機器にデータを送信する。
【０１１７】
同一の発明思想に基づき、図１ｂに示す本開示の実施例のデータ受信方法は、具体的に以下である。
【０１１８】
ステップ１１０ｂにおいて、ネットワーク側は、現在のデータ伝送ルールを取得する。当該ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０１１９】
ステップ１２０ｂにおいて、ネットワーク側は、Ｋ個のユーザ機器から当該ルールに従ってネットワーク側に送信されたデータを受信する。
【０１２０】
ここで、当該データ受信方法は、図１ａのデータ送信方法とは発明思想が同一であり、重複する部分の記載を省略する。
【０１２１】
同一の発明思想に基づき、図１ｃに示す本開示の実施例の別のデータ送信方法は、具体的に以下を含む。
【０１２２】
ネットワーク側から指示された現在スケジュールされるユーザ機器の数Ｋ及び多重化する伝送リソースの数Ｎを予め確定し、所定の２Ｎ−１個のデータレイヤによるＮ個の伝送リソースの多重化における符号化行列を選定する。
【０１２３】
ここで、符号化行列の選択は、ネットワーク側が選択してから端末に指示してもよく、設定要求を満たすユーザ機器に対し直接選択してもよい。
【０１２４】
ステップ１１０ｃにおいて、ユーザ機器は、現在のデータ伝送ルールを取得する。当該ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０１２５】
ステップ１２０ｃにおいて、ユーザ機器は、当該ルールに従って、符号化行列に占める少なくとも１つのデータレイヤに基づいてネットワーク側にデータを送信する。
【０１２６】
ここで、当該データ送信方法は、図１ａのデータ送信方法とは発明思想が同一であり、重複する部分の記載を省略する。
【０１２７】
同一の発明思想に基づき、図１ｄに示す本開示の実施例の別のデータ受信方法は、具体的に以下を含む。
【０１２８】
ネットワーク側から指示された現在スケジュールされるユーザ機器の数Ｋ及び多重化する伝送リソースの数Ｎを予め確定し、所定の２Ｎ−１個のデータレイヤによるＮ個の伝送リソースの多重化における符号化行列を選定する。
【０１２９】
ここで、符号化行列の選択は、ネットワーク側が選択してから端末に指示してもよく、設定要求を満たすユーザ機器に対し直接選択してもよい。
【０１３０】
ステップ１１０ｄにおいて、ユーザ機器は、現在のデータ伝送ルールを取得する。当該ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０１３１】
ステップ１２０ｄにおいて、ユーザ機器は、ネットワーク側から送信されるフィードバックデータを受信する。フィードバックデータは、ネットワーク側がユーザ機器からルールに従って送信されたデータを受信してからフィードバックされる。
【０１３２】
ここで、当該データ受信方法は、図１ａのデータ送信方法とは発明思想が同一であり、重複する部分の記載を省略する。
【０１３３】
上述のように、本開示の実施例では、当該ルールの構築本体を限定しない。現在のデータ伝送ルールがネットワーク側で構築されるのであれば、ネットワーク側は、当該ルールに含まれるマッピング関係に従って、各ユーザ機器が占めるデータレイヤに基づいて、対応するユーザ機器にデータを送信するが、当該ルールに従って占めるデータレイヤでネットワーク側にデータを送信するようユーザ機器に指示してもよい。ユーザ機器は、ネットワーク側から使用を指示された伝送リソースＮで、所定のデータ伝送ルールに従って、占めるデータレイヤ（１列又は複数列）を確定し、占めるデータレイヤでネットワーク側にデータを送信する。ネットワーク側は、ユーザ機器からルールに従って伝送されたデータを受信する。
【０１３４】
以下、具体的な応用シナリオに結びつけて本開示の実施例を更に詳細に記載する。
【０１３５】
システムにおいて予め複数の符号化行列候補を
【数１４】
0006797824.tif 000015
と設定し、即ち伝送リソースの数ｎの値は、２、３、４を取ることができる。
【０１３６】
例１）ｎ個の伝送リソースを多重化するユーザ機器の数Ｋを２とする。２つのユーザ機器に対し伝送リソースを割り当てる方法は、以下に記載する。
【０１３７】
まず、２つのユーザ機器によるＮ個の伝送リソースの多重化における符号化行列を確定する。続いて、当該２つのユーザ機器と、Ｎ個の伝送リソースの多重化における符号化行列とのマッピング方式を構築する。
【０１３８】
具体的に、条件Ｋ≦２Ｎ−１を満たすｎの値は、２、３、４をとることができ、当該２つのユーザ機器に使用可能な符号化行列候補集合
【数１５】
0006797824.tif 000016
を選別する。即ち、システムにおいて設定した全ての符号化行列候補は、全て選択条件を満たす。
【０１３９】
ｎ＝２の場合、即ち選択した符号化行列候補が
【数１６】
0006797824.tif 000017
である場合、当該２つのユーザ機器が２つの伝送リソースを多重化する。
【０１４０】
【数１７】
0006797824.tif 000018
から２列又は３列を選択して、当該２つのユーザ機器による２つの伝送リソースの多重化に形成される第２符号化行列を形成し、当該２つのユーザ機器と、
【数１８】
0006797824.tif 000019
に対応する２つの伝送リソース上の２列又は３列のデータレイヤとのマッピング関係を構築する。構築可能なマッピング関係は、以下の数種類を有する。
【０１４１】
例えば、図２ａに示すように、ユーザ機器１は、
【数１９】
0006797824.tif 000020
の１列目を占め、ユーザ機器２は、
【数２０】
0006797824.tif 000021
の２列目を占める。
【０１４２】
また、例えば、図２ｂに示すように、ユーザ機器１は、
【数２１】
0006797824.tif 000022
の１列目を占め、ユーザ機器２は、
【数２２】
0006797824.tif 000023
の２列目と３列目を占める。
【０１４３】
この場合、ユーザ機器１は、
【数２３】
0006797824.tif 000024
の１つのデータレイヤしか占めず、ユーザ機器２は、
【数２４】
0006797824.tif 000025
の２つのデータレイヤを占める。ユーザ機器１とユーザ機器２に同一の変調符号化方式、同一の符号化レートが使用される場合、ユーザ機器２による伝送のピーク処理能力は、ユーザ機器１の２倍になる。ユーザ機器１の負荷が１／２であり、ユーザ機器２の負荷が２／２であり、実現可能なシステムの負荷は、３／２である。関連技術のうちのＰＤＭＡ技術においてマルチユーザと符号化行列のマッピング方式により実現される１つのユーザ機器から１つのデータレイヤへのマッピングしかできないことに比較し、システムの負荷は、５０％向上している。
【０１４４】
また、例えば、図２ｃに示すように、ユーザ機器１は、
【数２５】
0006797824.tif 000026
の２列目を占め、ユーザ機器２は、
【数２６】
0006797824.tif 000027
の３列目を占める。この場合の伝送は、関連技術の直交伝送に相当する。
【０１４５】
もちろん、ユーザ機器１は、
【数２７】
0006797824.tif 000028
の１列目を占め、ユーザ機器２は、
【数２８】
0006797824.tif 000029
の３列目を占めるのもよい。他のマッピング方式もありうるが、ここでは列挙しない。
【０１４６】
Ｋ個のユーザ機器から符号化行列に対応する複数のリソースのデータレイヤへのマッピング方式が複数あり、ユーザ機器の伝送要求パラメータに基づいて選択することができる。例えば、１つのユーザ機器に要求される負荷が２／２である場合、それに対し、２つのデータレイヤ（２列）をマッピングしなければならない。
【０１４７】
ｎ＝３の場合、即ち選択した符号化行列候補が
【数２９】
0006797824.tif 000030
である場合、当該２つのユーザ機器が３つの伝送リソースを多重化する。
【０１４８】
【数３０】
0006797824.tif 000031
から、当該２つのユーザ機器の伝送要求パラメータを満足する２列、３列、４列、５列、６列、又は７列を選択して、当該２つのユーザ機器による３つの伝送リソースの多重化に形成される第２符号化行列を形成し、当該２つのユーザ機器と、
【数３１】
0006797824.tif 000032
に対応する３つの伝送リソース上の選択された複数のデータレイヤとのマッピング関係を構築する。
【０１４９】
例えば、図３に示すように、ユーザ機器１は、
【数３２】
0006797824.tif 000033
の２〜４列を占め、ユーザ機器２は、
【数３３】
0006797824.tif 000034
の５〜７列を占める。
【０１５０】
即ち、当該
【数３４】
0006797824.tif 000035
から、後ろからの６列を選択して、当該２つのユーザ機器による３つの伝送リソースの多重化に形成される第２符号化行列とする。
【０１５１】
この場合、ユーザ機器１とユーザ機器２は、それぞれ
【数３５】
0006797824.tif 000036
の３つのデータレイヤを占める。
【０１５２】
従って、ユーザ機器１とユーザ機器２に同一の変調符号化方式、同一の符号化レートが使用される場合、ユーザ機器１とユーザ機器２によるデータ伝送量が同一であり、ピーク処理能力が等しい。ユーザ機器１の負荷が３／３であり、ユーザ機器２の負荷が３／３であり、実現可能なシステムの負荷は、６／３である。関連技術のうちのＰＤＭＡ技術においてマルチユーザと符号化行列のマッピング方式により実現される１つのユーザ機器から１つのデータレイヤへのマッピングしかできないことに比較し、システムの負荷は、１００％向上している。
【０１５３】
もちろん、ユーザ機器１とユーザ機器２は、
【数３６】
0006797824.tif 000037
の同一数のデータレイヤを占めてもよく、異なる数のデータレイヤを占めてもよい。具体的なマッピング方式が複数あり、ここでは列挙しない。
【０１５４】
ｎ＝４の場合、即ち選択した符号化行列候補が
【数３７】
0006797824.tif 000038
である場合、当該２つのユーザ機器が４つの伝送リソースを多重化する。
【０１５５】
【数３８】
0006797824.tif 000039
から、当該２つのユーザ機器の伝送要求パラメータを満足する２列、３列、…１４列、又は１５列を選択して、当該２つのユーザ機器による４つの伝送リソースの多重化に形成される第２符号化行列を形成し、当該２つのユーザ機器と、
【数３９】
0006797824.tif 000040
に対応する４つの伝送リソース上の選択された複数のデータレイヤとのマッピング関係を構築する。
【０１５６】
例えば、図４に示すように、ユーザ機器１は、
【数４０】
0006797824.tif 000041
の３〜７列を占め、ユーザ機器２は、
【数４１】
0006797824.tif 000042
の８〜１４列を占める。
【０１５７】
即ち、当該
【数４２】
0006797824.tif 000043
から、３〜１４列を選択して、当該２つのユーザ機器による４つの伝送リソースの多重化に形成される第２符号化行列とする。
【０１５８】
この場合、ユーザ機器１は、
【数４３】
0006797824.tif 000044
の５つのデータレイヤを占め、ユーザ機器２は、
【数４４】
0006797824.tif 000045
の７つのデータレイヤを占める。
【０１５９】
従って、ユーザ機器１とユーザ機器２に同一の変調符号化方式、同一の符号化レートが使用される場合、ユーザ機器２によるデータ伝送量は、ユーザ機器１より多い。ユーザ機器１の負荷が５／４であり、ユーザ機器２の負荷が７／４であり、実現可能なシステムの負荷は、１２／４である。関連技術のうちのＰＤＭＡ技術においてマルチユーザと符号化行列のマッピング方式により実現される１つのユーザ機器から１つのデータレイヤへのマッピングしかできないことに比較し、システムの負荷は、２００％向上している。
【０１６０】
例２）ｎ個の伝送リソースを多重化するユーザ機器の数Ｋを３とする。３つのユーザ機器に対し伝送リソースを割り当てる方法は、以下に記載する。
【０１６１】
まず、３つのユーザ機器によるＮ個の伝送リソースの多重化における符号化行列を確定する。続いて、当該３つのユーザ機器と、Ｎ個の伝送リソースの多重化における符号化行列とのマッピング方式を構築する。
【０１６２】
具体的に、条件Ｋ≦２ｎ−１を満たすｎの値は、２、３、４をとることができ、システムにおいて予め設定した複数の符号化行列候補から、当該３つのユーザ機器に使用可能な符号化行列候補集合
【数４５】
0006797824.tif 000046
を選別する。即ち、システムにおいて設定した全ての符号化行列候補は、全て選択条件を満たす。
【０１６３】
ｎ＝２の場合、即ち選択した符号化行列候補が
【数４６】
0006797824.tif 000047
である場合、当該３つのユーザ機器が２つの伝送リソースを多重化する。
【０１６４】
【数４７】
0006797824.tif 000048
から３列を選択して、当該３つのユーザ機器による２つの伝送リソースの多重化に形成される第２符号化行列を形成する。
【０１６５】
図５に示すように、当該３つのユーザ機器と、
【数４８】
0006797824.tif 000049
に対応する２つの伝送リソース上の３列のデータレイヤとのマッピング関係を構築する。
【０１６６】
ｎ＝３の場合、即ち選択した符号化行列候補が
【数４９】
0006797824.tif 000050
である場合、当該３つのユーザ機器が３つの伝送リソースを多重化する。
【０１６７】
【数５０】
0006797824.tif 000051
から、当該３つのユーザ機器の伝送要求パラメータを満足する３列、４列、５列、６列、又は７列を選択して、当該３つのユーザ機器による３つの伝送リソースの多重化に形成される第２符号化行列を形成し、当該３つのユーザ機器と、
【数５１】
0006797824.tif 000052
に対応する３つの伝送リソース上の選択された複数のデータレイヤとのマッピング関係を構築する。
【０１６８】
例えば、図６に示すように、ユーザ機器１は、
【数５２】
0006797824.tif 000053
の１列目を占め、ユーザ機器２は、
【数５３】
0006797824.tif 000054
の２〜４列を占め、ユーザ機器３は、
【数５４】
0006797824.tif 000055
の５〜７列を占める。
【０１６９】
即ち、
【数５５】
0006797824.tif 000056
を当該３つのユーザ機器による３つの伝送リソースの多重化に形成される第２符号化行列とする。
【０１７０】
この場合、ユーザ機器１は、
【数５６】
0006797824.tif 000057
の１つのデータレイヤを占め、ユーザ機器２とユーザ機器３は、それぞれ
【数５７】
0006797824.tif 000058
の３つのデータレイヤを占める。ユーザ機器１の負荷が１／３であり、ユーザ機器２とユーザ機器３の負荷がそれぞれ３／３であり、実現可能なシステムの負荷は、７／３である。関連技術のうちのＰＤＭＡ技術においてマルチユーザと符号化行列のマッピング方式により実現される１つのユーザ機器から１つのデータレイヤへのマッピングしかできないことに比較し、システムの負荷は、約１３３．３％向上している。
【０１７１】
もちろん、ユーザ機器１、ユーザ機器２、ユーザ機器３は、
【数５８】
0006797824.tif 000059
の１つのデータレイヤ又は複数のデータレイヤを占めることができる。具体的なマッピング方式が複数あり、ここでは列挙しない。
【０１７２】
ｎ＝４の場合、即ち選択した符号化行列候補が
【数５９】
0006797824.tif 000060
である場合、当該３つのユーザ機器が４つの伝送リソースを多重化する。
【０１７３】
【数６０】
0006797824.tif 000061
から、当該３つのユーザ機器の伝送要求パラメータを満足する３列、４列、…、又は１５列を選択して、当該３つのユーザ機器による４つの伝送リソースの多重化に形成される第２符号化行列を形成し、当該３つのユーザ機器と、
【数６１】
0006797824.tif 000062
に対応する４つの伝送リソース上の選択された複数のデータレイヤとのマッピング関係を構築する。具体的な方法の記載を省略する。
【０１７４】
例３）ｎ個の伝送リソースを多重化するユーザ機器の数Ｋを４とする。４つのユーザ機器に対し伝送リソースを割り当てる方法は、以下に記載する。
【０１７５】
まず、４つのユーザ機器によるＮ個の伝送リソースの多重化における符号化行列を確定する。続いて、当該４つのユーザ機器と、Ｎ個の伝送リソースの多重化における符号化行列とのマッピング方式を構築する。
【０１７６】
ここで、条件Ｋ≦２ｎ−１を満たすｎの値は、３、４をとることができ、システムにおいて予め設定した複数の符号化行列候補から、当該３つのユーザ機器に使用可能な符号化行列候補集合
【数６２】
0006797824.tif 000063
を選別する。
【０１７７】
ｎが異なる値をとることにより、対応する第１符号化行列を選択し、それから第１符号化行列から、条件を満足する列数を選択して第２符号化行列を生成し、当該４つのユーザ機器と、第２符号化行列とのマッピング方式を構築する。具体的なプロセスの記載は、省略する。
【０１７８】
上述のプロセスにおいて、Ｋ個のユーザ機器がマッピングされる第１符号化行列のデータレイヤ数は、所定のルールに従って選択してもよい。ルールは、実際の応用経験から任意に設定することができ、随時に更新して最適化することができる。例えば、ユーザ機器が占めるデータレイヤ数は、その負荷の要求を満足すべきであり、負荷の比較的小さいユーザ機器が占めるデータレイヤ数は、比較的少なく、負荷の比較的大きいユーザ機器が占めるデータレイヤ数は、比較的多い。通常、ユーザ機器の負荷が高くなると、当該ユーザ機器の信号雑音比が高く要求される。ブロック誤り率への要求が比較的高いユーザ機器の場合、ダイバーシティ次数の比較的高い列に対応する伝送レイヤを選択して伝送する。
【０１７９】
上述の実施例と同一の発明思想に基づいて、図７ａに示す本開示の実施例のネットワーク側機器は、処理ユニット７１ａと、送信ユニット７２ａとを含む。
【０１８０】
処理ユニット７１ａは、現在のデータ伝送ルールを取得する。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０１８１】
送信ユニットと７２ａは、ルールに従ってＫ個のユーザ機器にデータを送信する。
【０１８２】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０１８３】
また、ネットワーク側機器は、現在のデータ伝送ルールを取得する前に、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するための選択ユニット７０ａを更に含む。
【０１８４】
また、選択ユニット７０ａは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０１８５】
また、選択ユニット７０ａは、ｎ値の集合から、Ｋ個のユーザ機器に現在多重化可能な伝送リソースの数Ｎを選択し、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０１８６】
また、処理ユニット７１ａが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０１８７】
また、処理ユニット７１ａがＫ個のユーザ機器と、第１符号化行列に対応するＮ個の伝送リソース上のデータレイヤとのマッピング関係を確定するにあたり、伝送要求パラメータは、少なくとも、ユーザ機器の負荷と、信号雑音比、ブロック誤り率及び電力リソースのうちのいずれか１つ又は任意の組み合わせとを含む。
【０１８８】
また、処理ユニット７１ａが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０１８９】
上述の実施例に基づいて、図７ｂに示す本開示の実施例の別のネットワーク側機器は、処理ユニット７１ｂと、受信ユニット７２ｂとを含む。
【０１９０】
処理ユニット７１ｂは、現在のデータ伝送ルールを取得する。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０１９１】
受信ユニット７２ｂは、Ｋ個のユーザ機器からルールに従ってネットワーク側に送信されたデータを受信する。
【０１９２】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０１９３】
また、ネットワーク側機器は、現在のデータ伝送ルールを取得する前に、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定するための選択ユニット７０ｂを更に含む。
【０１９４】
また、選択ユニット７０ｂは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０１９５】
また、選択ユニット７０ｂは、ｎ値の集合から、Ｋ個のユーザ機器に現在多重化可能な伝送リソースの数Ｎを選択し、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０１９６】
また、処理ユニット７１ｂが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０１９７】
また、伝送要求パラメータは、少なくとも、ユーザ機器の負荷と、信号雑音比、ブロック誤り率及び電力リソースのうちのいずれか１つ又は任意の組み合わせとを含む。
【０１９８】
また、処理ユニット７１ｂが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０１９９】
一部の実施例において、ネットワーク側機器は、上述送信ユニット７２ａと受信ユニット７２ｂを同時に含むことができる。
【０２００】
上述の実施例に基づいて、図７ｃに示す本開示の実施例のユーザ機器は、処理ユニット７１ｃと送信ユニット７２ｃとを含む。
【０２０１】
処理ユニット７１ｃは、現在のデータ伝送ルールを取得する。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０２０２】
送信ユニット７２ｃは、ルールに従って、符号化行列に占める少なくとも１つのデータレイヤに基づいてネットワーク側にデータを送信する。
【０２０３】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２０４】
また、ユーザ機器は、現在のデータ伝送ルールを取得する前に、ネットワーク側から指示された現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定するための選択ユニット７０ｃを更に含む。
【０２０５】
また、選択ユニット７０ｃは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０２０６】
また、選択ユニット７０ｃは、ｎ値の集合から、Ｋ個のユーザ機器に現在多重化可能な伝送リソースの数Ｎを選択し、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０２０７】
また、処理ユニット７１ｃが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０２０８】
また、処理ユニット７１ｃがＫ個のユーザ機器と、第１符号化行列に対応するＮ個の伝送リソース上のデータレイヤとのマッピング関係を確定するにあたり、伝送要求パラメータは、少なくとも、ユーザ機器の負荷と、信号雑音比、ブロック誤り率及び電力リソースのうちのいずれか１つ又は任意の組み合わせとを含む。
【０２０９】
また、処理ユニット７１ｃが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０２１０】
上述の実施例に基づいて、図７ｄに示す本開示の実施例のユーザ機器は、処理ユニット７１ｄと受信ユニット７２ｄとを含む。
【０２１１】
処理ユニット７１ｄは、現在のデータ伝送ルールを取得する。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０２１２】
受信ユニット７２ｄは、ネットワーク側から送信されるフィードバックデータを受信する。フィードバックデータは、ネットワーク側がユーザ機器からルールに従って送信されたデータを受信してからフィードバックされる。
【０２１３】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２１４】
また、ユーザ機器は、現在のデータ伝送ルールを取得する前に、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定するための選択ユニット７０ｄを更に含む。
【０２１５】
また、選択ユニット７０ｄは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０２１６】
また、選択ユニット７０ｄは、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０２１７】
また、処理ユニット７１ｄが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０２１８】
また、処理ユニット７１ｄがＫ個のユーザ機器と、第１符号化行列に対応するＮ個の伝送リソース上のデータレイヤとのマッピング関係を確定するにあたり、伝送要求パラメータは、少なくとも、ユーザ機器の負荷と、信号雑音比、ブロック誤り率及び電力リソースのうちのいずれか１つ又は任意の組み合わせとを含む。
【０２１９】
また、処理ユニット７１ｄが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０２２０】
一部の実施例では、ユーザ機器は、上述の送信ユニット７２ｃと受信ユニット７２ｄとを同時に含むことができる。
【０２２１】
上述の実施例に基づいて、図８ａに示す本開示の実施例の別のネットワーク側機器は、メモリ８２０ａからプログラムを読み出して、現在のデータ伝送ルールを取得するプロセスと、ルールに従ってＫ個のユーザ機器にトランシーバ８１０ａを介してデータを送信するプロセスを実行するプロセッサ８００ａを含む。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０２２２】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２２３】
また、プロセッサ８００ａは、現在のデータ伝送ルールを取得する前に、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定する。
【０２２４】
また、プロセッサ８００ａは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２Ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０２２５】
また、プロセッサ８００ａは、ｎ値の集合から、Ｋ個のユーザ機器に現在多重化可能な伝送リソースの数Ｎを選択し、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０２２６】
また、プロセッサ８００ａが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０２２７】
また、プロセッサ８００ａがＫ個のユーザ機器と、第１符号化行列に対応するＮ個の伝送リソース上のデータレイヤとのマッピング関係を確定するにあたり、伝送要求パラメータは、少なくとも、ユーザ機器の負荷と、信号雑音比、ブロック誤り率及び電力リソースのうちのいずれか１つ又は任意の組み合わせとを含む。
【０２２８】
また、プロセッサ８００ａが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０２２９】
ここで、図８ａにおいて、バスアーキテクチャは、任意数の相互接続するバスとブリッジを含み、具体的に、プロセッサ８００ａをはじめとする１つ又は複数のプロセッサとメモリ８２０ａをはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本明細書においてさらなる記載をしない。バスインタフェースにより、インタフェースが提供される。トランシーバ８１０ａは、複数の部品であってもよく、即ち送信機と受信機を含み、伝送媒体でほかの各種類の装置と通信するユニットとして提供される。プロセッサ８００ａは、バスアーキテクチャと通常の処理を管理する。メモリ８２０ａは、プロセッサ８００ａによる作業時に使用されるデータを記憶できる。
【０２３０】
上述の実施例に基づいて、図８ｂに示す本開示の実施例の別のネットワーク側機器は、メモリ８２０ｂからプログラムを読み出して、現在のデータ伝送ルールを取得するプロセスと、Ｋ個のユーザ機器からルールに従ってネットワーク側に送信されるデータをトランシーバ８１０ｂを介して受信するプロセスを実行するプロセッサ８００ｂを含む。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０２３１】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２３２】
また、プロセッサ８００ｂは、現在のデータ伝送ルールを取得する前に、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定する。
【０２３３】
また、プロセッサ８００ｂは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０２３４】
また、プロセッサ８００ｂは、ｎ値の集合から、Ｋ個のユーザ機器に現在多重化可能な伝送リソースの数Ｎを選択し、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０２３５】
また、プロセッサ８００ｂが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０２３６】
また、伝送要求パラメータは、少なくとも、ユーザ機器の負荷と、信号雑音比、ブロック誤り率及び電力リソースのうちのいずれか１つ又は任意の組み合わせとを含む。
【０２３７】
また、プロセッサ８００ｂが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０２３８】
ここで、図８ｂにおいて、バスアーキテクチャは、任意数の相互接続するバスとブリッジを含み、具体的に、プロセッサ８００ｂをはじめとする１つ又は複数のプロセッサとメモリ８２０ｂをはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本明細書においてさらなる記載をしない。バスインタフェースにより、インタフェースが提供される。トランシーバ８１０ｂは、複数の部品であってもよく、即ち送信機と受信機を含み、伝送媒体でほかの各種類の装置と通信するユニットとして提供される。プロセッサ８００ｂは、バスアーキテクチャと通常の処理を管理する。メモリ８２０ｂは、プロセッサ８００ｂによる作業時に使用されるデータを記憶できる。
【０２３９】
上述の実施例に基づいて、図８ｃに示す本開示の実施例の別のユーザ機器は、メモリ８２０ｃからプログラムを読み出して、現在のデータ伝送ルールを取得するプロセスと、ルールに従って、符号化行列に占める少なくとも１つのデータレイヤに基づいてネットワーク側にトランシーバ８１０ｃを介してデータを送信するプロセスを実行するプロセッサ８００ｃを含む。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。
【０２４０】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２４１】
また、プロセッサ８００ｃは、現在のデータ伝送ルールを取得する前に、ネットワーク側から指示された現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定する。
【０２４２】
また、プロセッサ８００ｃは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０２４３】
また、プロセッサ８００ｃは、ｎ値の集合から、Ｋ個のユーザ機器に現在多重化可能な伝送リソースの数Ｎを選択し、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０２４４】
また、プロセッサ８００ｃが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０２４５】
また、プロセッサ８００ｃがＫ個のユーザ機器と、第１符号化行列に対応するＮ個の伝送リソース上のデータレイヤとのマッピング関係を確定するにあたり、伝送要求パラメータは、少なくとも、ユーザ機器の負荷と、信号雑音比、ブロック誤り率及び電力リソースのうちのいずれか１つ又は任意の組み合わせとを含む。
【０２４６】
また、プロセッサ８００ｃが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０２４７】
ここで、図８ｃにおいて、バスアーキテクチャは、任意数の相互接続するバスとブリッジを含み、具体的に、プロセッサ８００ｃをはじめとする１つ又は複数のプロセッサとメモリ８２０ｃをはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本明細書においてさらなる記載をしない。バスインタフェースにより、インタフェースが提供される。トランシーバ８１０ｃは、複数の部品であってもよく、即ち送信機と受信機を含み、伝送媒体でほかの各種類の装置と通信するユニットとして提供される。ユーザ端末によっては、ユーザインタフェース８３０ｃは、内部接続や外部接続する機器のインタフェースであってもよい。接続する機器は、キーパッド、ディスプレイ、スピーカ、マイクロフォン、ジョイスティックなどを含むが、それらに限られない。
【０２４８】
プロセッサ８００ｃは、バスアーキテクチャと通常の処理を管理する。メモリ８２０ｃは、プロセッサ８００ｃによる作業時に使用されるデータを記憶できる。
【０２４９】
上述の実施例に基づいて、図８ｄに示す本開示の実施例の別のユーザ機器は、メモリ８２０ｄからプログラムを読み出して、現在のデータ伝送ルールを取得するプロセスと、ネットワーク側から送信されるフィードバックデータをトランシーバ８１０ｄを介して受信するプロセスを実行するプロセッサ８００ｄを含む。ルールは、現在スケジュールされるＫ個のユーザ機器と、選定した符号化行列に対応するＮ個の伝送リソース上のデータレイヤとのマッピング関係を含み、ここで１つのユーザ機器が少なくとも１つのデータレイヤを占め、Ｋ≦２Ｎ−１である。フィードバックデータは、ネットワーク側がユーザ機器からルールに従って送信されるデータを受信してからフィードバックされる。
【０２５０】
このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２５１】
また、プロセッサ８００ｄは、現在のデータ伝送ルールを取得する前に、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定する。
【０２５２】
また、プロセッサ８００ｄは、現在スケジュールされるユーザ機器の数Ｋ（Ｋ≦２Ｎ−１）及び多重化する伝送リソースの数Ｎを確定し、所定の２Ｎ−１個のデータレイヤによるＮ個の伝送リソースの多重化における符号化行列を選定するにあたり、具体的に、予め設定した複数の符号化行列候補に対応する複数のｎ（１つの符号化行列候補に対応する伝送リソースの数）値に基づいて、条件Ｋ≦２ｎ−１を満たすｎ値の集合を選択し、ｎ値の集合に基づいて、Ｋ個のユーザ機器に使用可能な符号化行列候補集合を複数の符号化行列候補から選別し、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とし、ここで、符号化行列候補が２ｎ−１個のデータレイヤによるＮ個の伝送リソースの多重化における符号化行列である。
【０２５３】
また、プロセッサ８００ｄは、ｎ値の集合から、Ｋ個のユーザ機器に現在多重化可能な伝送リソースの数Ｎを選択すると共に、符号化行列候補集合から、Ｎ値に対応する符号化行列候補を選択して、２Ｎ−１個のデータレイヤによるＮ個の伝送リソースの多重化における符号化行列とするにあたり、具体的に、ｎ値の集合から、システムの使用可能な周波数領域リソース数を超えず且つ対応する所定のデータレイヤ数２ｎ−１がＫ個のユーザ機器の負荷要求を満足する任意の値を選択して、Ｋ個のユーザ機器に現在多重化可能な伝送リソースの数Ｎとすると共に、符号化行列候補集合から、Ｎ値に対応する符号化行列候補を選択して、２Ｎ−１個のデータレイヤによるＮ個の伝送リソースの多重化における符号化行列とする。
【０２５４】
また、プロセッサ８００ｄが現在のデータ伝送ルールを取得するプロセスで、Ｋ個のユーザ機器と、符号化行列に対応するＮ個の伝送リソース上のデータレイヤとのマッピング関係は、具体的に、各ユーザ機器の伝送要求パラメータに基づいて、各ユーザ機器がその伝送要求パラメータを満足する符号化行列の少なくとも１列にマッピングされ、ここで、符号化行列の１列が１つのデータレイヤに対応することを含む。
【０２５５】
また、プロセッサ８００ｄがＫ個のユーザ機器と、第１符号化行列に対応するＮ個の伝送リソース上のデータレイヤとのマッピング関係を確定するにあたり、伝送要求パラメータは、少なくとも、ユーザ機器の負荷と、信号雑音比、ブロック誤り率及び電力リソースのうちのいずれか１つ又は任意の組み合わせとを含む。
【０２５６】
また、プロセッサ８００ｄが現在のデータ伝送ルールを取得するプロセスで、任意のユーザ機器がその伝送要求パラメータを満足する少なくとも１列にマッピングされることは、具体的に、任意のユーザ機器が、伝送要求パラメータを満足する１列にマッピングされるか、任意のユーザ機器が、伝送要求パラメータを満足する同一ダイバーシティ次数の少なくとも２列、又は、伝送要求パラメータを満足する異なるダイバーシティ次数の少なくとも２列にマッピングされることを含み、ここで、ダイバーシティ次数は、符号化行列中の１列元素のうちゼロではない元素の数として定義され、データ送信による周波数ダイバーシティを表す。
【０２５７】
ここで、図８ｄにおいて、バスアーキテクチャは、任意数の相互接続するバスとブリッジを含み、具体的に、プロセッサ８００ｄをはじめとする１つ又は複数のプロセッサとメモリ８２０ｄをはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本明細書においてさらなる記載をしない。バスインタフェースにより、インタフェースが提供される。トランシーバ８１０ｄは、複数の部品であってもよく、即ち送信機と受信機を含み、伝送媒体でほかの各種類の装置と通信するユニットとして提供される。ユーザ端末によっては、ユーザインタフェース８３０ｄは、内部接続や外部接続する機器のインタフェースであってもよい。接続する機器は、キーパッド、ディスプレイ、スピーカ、マイクロフォン、ジョイスティックなどを含むが、それらに限られない。
【０２５８】
プロセッサ８００ｄは、バスアーキテクチャと通常の処理を管理する。メモリ８２０ｄは、プロセッサ８００ｄによる作業時に使用されるデータを記憶できる。
【０２５９】
以上の記載をまとめると、本開示の実施例において、ネットワーク側は、現在スケジュールされるユーザ機器の数Ｋ及び多重化する伝送リソースの数Ｎを確定し、所定の２Ｎ−１個のデータレイヤによるＮ個の伝送リソースの多重化における符号化行列を選定し、ここで、Ｎ≧ｌｏｇ２（Ｋ＋１）、即ち、Ｋ≦２Ｎ−１である。ネットワーク側は、現在のデータ伝送ルールを取得する。ルールは、現在スケジュールされるＫ個のユーザ機器と、選定した符号化行列に対応するＮ個、即ち少なくともｌｏｇ２（Ｋ＋１）個の伝送リソース上のデータレイヤとのマッピング関係を含み、ここで、１つのユーザ機器が少なくとも１つのデータレイヤを占める。ネットワーク側は、ルールに従って、Ｋ個のユーザ機器にデータを送信し、及び／又は、Ｋ個のユーザ機器から前記ルールに従ってネットワーク側に送信するデータを受信する。このように、現在スケジュールされているユーザ機器の数を確定するにあたり、複数のパターンを柔軟に選択して符号化行列をマッピングすることができ、１つのユーザ機器を選択した符号化行列の１つ又は複数のデータレイヤにマッピングすることにより、マルチユーザデータと符号化行列の柔軟なマッピングが実現される。現在システムにおいて、１つの周波数領域リソースで多重化するユーザ数が比較的少ない場合、１つのユーザ機器から複数のデータレイヤへのマッピングが可能であるため、当該ユーザ機器の伝送負荷が向上し、システム全体の処理能力が向上する。また、一定のスペクトル効率が保証されると同時に変調符号化レベルの低下が実現され、更に受信機のアルゴリズム複雑度が低下する。
【０２６０】
本開示の実施例は、方法、システム、又はコンピュータプログラムプロダクトとして提供されうると当業者が理解できる。従って、本開示は、完全にハードウェアの実施例、完全にソフトウェアの実施例、又はソフトウェアとハードウェアを組み合わせた実施例の形態を取り得る。しかも、本開示は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０２６１】
本開示は、本開示の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０２６２】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０２６３】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０２６４】
本開示の好適な実施例を記載したが、当業者は、基本的な創造性概念を一旦理解すると、これらの実施例に対し別の変更や修正をすることができる。従って、添付の特許請求の範囲は、好適な実施例及び本開示の範囲に入る全ての変更や修正を含むことを意図する。
【０２６５】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図する。
【図１ａ】
0006797824.tif 000064
【図１ｂ】
0006797824.tif 000065
【図１ｃ】
0006797824.tif 000066
【図１ｄ】
0006797824.tif 000067
【図２ａ】
0006797824.tif 000068
【図２ｂ】
0006797824.tif 000069
【図２ｃ】
0006797824.tif 000070
【図３】
0006797824.tif 000071
【図４】
0006797824.tif 000072
【図５】
0006797824.tif 000073
【図６】
0006797824.tif 000074
【図７ａ】
0006797824.tif 000075
【図７ｂ】
0006797824.tif 000076
【図７ｃ】
0006797824.tif 000077
【図７ｄ】
0006797824.tif 000078
【図８ａ】
0006797824.tif 000079
【図８ｂ】
0006797824.tif 000080
【図８ｃ】
0006797824.tif 000081
【図８ｄ】
0006797824.tif 000082